(57)【要約】  【課題】廃液処理の容易な風呂釜洗浄液及び洗浄方法を提供しようとする。  【解決手段】２−アミノエタノールとジエチレントリアミンとを含む水溶液からなる風呂釜洗浄用洗浄液である。また、前記風呂釜洗浄用洗浄液と、硫酸アルミニウムを含む凝集剤とを備えた風呂釜洗浄用洗浄キットである。またさらに、前記洗浄液を風呂釜の熱交換用配管内に注入する工程と、前記熱交換用配管内に注入された前記洗浄液を回収する工程と、回収された該洗浄液に硫酸アルミニウムを含む凝集剤を混入する工程とを含む風呂釜の洗浄方法である。  【選択図】図１
2007197620.tif 000002
【特許請求の範囲】
【請求項１】
２−アミノエタノールとジエチレントリアミンとを含む水溶液からなる風呂釜洗浄用洗浄液。
【請求項２】
前記２−アミノエタノールと前記ジエチレントリアミンとの重量比が４：１〜１：１であり、かつ該２−アミノエタノールが前記水溶液中に０．１〜１０重量％含有された請求項１に記載の風呂釜洗浄用洗浄液。
【請求項３】
請求項１又は２に記載の風呂釜洗浄用洗浄液と、硫酸アルミニウムを含む凝集剤とを備えた風呂釜洗浄用洗浄キット。
【請求項４】
請求項１又は２に記載の洗浄液を風呂釜の熱交換用配管内に注入する工程と、
前記熱交換用配管内に注入された前記洗浄液を回収する工程と、
回収された該洗浄液に硫酸アルミニウムを含む凝集剤を混入する工程とを含む風呂釜の洗浄方法。
【発明の詳細な説明】
【技術分野】
【０００１】
本発明は、風呂釜を洗浄する洗浄液とその洗浄液による風呂釜の洗浄方法に関する。
【背景技術】
【０００２】
風呂釜の熱交換用配管内には浴槽内の汚れた湯が循環して長期間使用する間に湯垢が付着し簡単には除去できなくなる。また、そのまま放置しておくとレジオネラ菌のような細菌の温床になって湯を汚染する。さらに、熱交換効率が悪くなる。
【０００３】
このため、風呂釜を洗浄する方法として、従来から浴槽の湯口から風呂釜の熱交換用配管内に水道水を噴出させて水流の勢いで湯垢を除去する方法（例えば、特許文献１参照）や、湯口からポンプで洗剤等の洗浄液を圧送して洗浄する方法（例えば、特許文献２参照）等が提案されている。
【０００４】
水道水の水勢で湯垢を除去する方法では、熱交換用配管内に強固に付着している汚れを充分に除去できない。洗剤等の洗浄液を圧送して洗浄する方法においては、洗浄後の洗浄液をそのまま排水管に垂れ流すことが環境汚染の一因となるので、特別の廃液処理を必要とし、洗浄コストを増大させるという問題点がある。
【特許文献１】特開平８−２６１６９２号公報
【特許文献２】特開平５−１８６９４号公報
【発明の開示】
【発明が解決しようとする課題】
【０００５】
本発明の目的は、廃液処理の容易な風呂釜洗浄液及び洗浄方法を提供することである。
【課題を解決するための手段】
【０００６】
本発明の要旨とするところは、２−アミノエタノールとジエチレントリアミンとを含む水溶液からなる風呂釜洗浄用洗浄液であることにある。
【０００７】
前記風呂釜洗浄用洗浄液においては、前記２−アミノエタノールと前記ジエチレントリアミンとの重量比が４：１〜１：１であり得、かつ該２−アミノエタノールが前記水溶液中に０．１〜１０重量％含有され得る。
【０００８】
さらに、本発明の要旨とするところは、前記風呂釜洗浄用洗浄液と、硫酸アルミニウムを含む凝集剤とを備えた風呂釜洗浄用洗浄キットであることにある。
【０００９】
またさらに、本発明の要旨とするところは、前記洗浄液を風呂釜の熱交換用配管内に注入する工程と、
前記熱交換用配管内に注入された前記洗浄液を回収する工程と、
回収された該洗浄液に硫酸アルミニウムを含む凝集剤を混入する工程とを含む風呂釜の洗浄方法であることにある。
【発明の効果】
【００１０】
本発明によると、廃液処理の容易な風呂釜洗浄液及び洗浄方法が提供される。
【発明を実施するための最良の形態】
【００１１】
本発明の風呂釜洗浄液は、２−アミノエタノールとジエチレントリアミンとを含む水溶液からなる風呂釜洗浄用洗浄液である。本発明の風呂釜洗浄液においては、前記２−アミノエタノールと前記ジエチレントリアミンとの重量比が４：１〜１：１でありかつ該２−アミノエタノールが前記水溶液中に０．１〜１０重量％含有されることが、もっとも好ましい。
【００１２】
本発明においては、この風呂釜洗浄液を風呂釜の熱交換管路に循環させて風呂釜の洗浄を行う。
【００１３】
洗浄後の風呂釜洗浄液は浴槽に栓をして浴槽中に留置される。この浴槽中に留置された洗浄後の風呂釜洗浄液に硫酸アルミニウムを含む凝集剤を投与して洗浄液中の凝集成分を凝集させると同時に洗浄液を中和させる。
【００１４】
本発明の風呂釜洗浄液は洗浄性に優れるのみならず、手で触れたとしてもべとつかずさらっとした手触りであり、取り扱いが容易である。さらに、洗浄後の洗浄液が硫酸アルミニウムを含む凝集剤での凝集が容易であり、汚れ成分が水酸化アルミを主成分とする凝集物として容易に凝集される。従来の酵素を用いた洗浄剤は手に触れるとべとつくので取り扱い操作が難しい。
【００１５】
凝集剤を投与後の風呂釜洗浄液は中和されておりそのままあるいは水で希釈して風呂水の排水路に排水することができる。これにより、例えば、洗浄後の洗浄液を浄化槽に流して浄化する場合、洗浄液中の汚れ成分が凝集物として凝集していると、浄化槽の負荷が少なくなる。
【００１６】
あるいは、凝集成分を濾し取って分離したあとの洗浄液を排水することによりさらに排液の環境負荷を軽減することができる。分離された凝集物は汚れ成分や薬液成分が濃縮された廃棄物として集荷し効率的に別途廃棄物処理することができる。この濾し取りは、浴槽の風呂水の排水口を粗いメッシュのフィルタで塞いで凝集剤投入後の洗浄液をその排水口から排出することにより簡単な操作で行うことができる。
【００１７】
このように本発明の風呂釜洗浄液は風呂釜洗浄後に硫酸アルミニウムを含む凝集剤で凝集処理することにより、洗浄液の後処理が容易になる。従って、本発明の風呂釜洗浄液と硫酸アルミニウムを含む凝集剤とをキットとして風呂釜洗浄に用いることが好ましい。
【００１８】
本発明の風呂釜洗浄液には残余の水とともに、さらに、非イオン系界面活性剤、アルコール系溶剤、グリコール系溶剤、金属封鎖剤を含むことが好ましい。
【００１９】
非イオン系界面活性剤としては例えばポリオキシアルキレンアルキルエーテル、ポリオキシアルキレンアルケニルエーテル、ポリオキシアルキレン脂肪酸エステル、ポリオキシアルキレンアルキルフェノールエーテル、しょ糖エステル、ポリオキシアルキレンしょ糖エステル、ソルビタン脂肪酸エステル、ポリオキシアルキレンソルビタン脂肪酸エステル、脂肪酸アルカノールアミドまたはそのアルキレンオキシド付加物、モノグリセリン脂肪酸エステル、ポリグリセリン脂肪酸エステル、ポリオキシアルキレン硬化ヒマシ油、アルキルグルコシドなどが挙げられる。非イオン系界面活性剤は０．０１〜１０重量％含有されることが好ましい。
【００２０】
アルコール系溶剤としては、メタノール、エタノール、イソプロパノールなどが挙げられる。アルコール系溶剤は０．０１〜５重量％含有されることが好ましい。
【００２１】
グリコール系溶剤としては、エチレングリコール、グリセリンや、エチレングリコールモノメチルエーテル、エチレングリコールモノエチルエーテル、エチレングリコールモノプロピルエーテル、エチレングリコールモノブチルエーテル等のエチレングリコールエーテル、ジエチレングリコールモノメチルエーテル、ジエチレングリコールモノエチルエーテル、ジエチレングリコールモノプロピルエーテル、ジエチレングリコールモノブチルエーテル等のジエチレングリコールエーテル、プロピレングリコールモノメチルエーテル、ジプロピレングリコールモノメチルエーテル等が挙げられる。グリコール系溶剤は０．０１〜５重量％含有されることが好ましい。
【００２２】
金属封鎖剤としては、ニトリロ三酢酸塩、エチレンジアミン四酢酸塩、クエン酸塩、グルコン酸塩、リンゴ酸塩、酒石酸塩、フマル酸塩、コハク酸塩、ポリアクリル酸塩、グルタミン酸二酢酸塩、メチルグリシン二酢酸塩が挙げられ、塩としては、ナトリウム塩、カリウム塩、アンモニウム塩、アミン塩等が挙げられる。金属封鎖剤は０．０１〜３重量％含有されることが好ましい。
【００２３】
本発明において用いられる凝集剤は硫酸アルミの他に成分として酸化マグネシウムや高分子凝集剤が用いられてもよい。さらに、炭酸ナトリウムが添加されていることが好ましい。炭酸ナトリウムは５〜２０重量％添加されていることが好ましい。
【００２４】
高分子凝集剤としては、例えば、ポリ（メタ）アクリル酸塩、（メタ）アクリルアミド／（メタ）アクリル酸塩共重合体、（メタ）アクリルアミド／２−（メタ）アクリロイルアミノ−２−メチルプロパンスルホン酸塩共重合体、（メタ）アクリルアミド／（メタ）アクリル酸塩／２−（メタ）アクリロイルアミノ−２−メチルプロパンスルホン酸塩共重合体、（メタ）アクリルアミド／２−（メタ）アクリロイルオキシエタンスルホン酸塩共重合体、（メタ）アクリルアミド／（メタ）アクリル酸塩／２−（メタ）アクリロイルオキシエタンスルホン酸塩共重合体、（メタ）アクリルアミド／２−（メタ）アクリロイルオキシプロパンスルホン酸塩共重合体、（メタ）アクリルアミド／（メタ）アクリル酸塩／２−（メタ）アクリロイルオキシプロパンスルホン酸塩共重合体、（メタ）アクリルアミド／（メタ）アクリル酸塩／２−（メタ）アクリロイルアミノ−２−メチルプロパンスルホン酸塩／２−（メタ）アクリロイルオキシエタンスルホン酸塩／２−（メタ）アクリロイルオキシプロパンスルホン酸塩共重合体などが挙げられる。上記における塩としては、例えばアルカリ金属（リチウム、ナトリウム、カリウムなど）塩、アルカリ土類金属（マグネシウム、カルシウムなど）塩が挙げられる。これらの塩は２種以上混合されていてもよい。高分子凝集剤は０．５〜５重量％添加されていることが好ましい。
【００２５】
凝集剤は洗浄処理後の洗浄液に対して１〜４重量％投与されることが好ましい。
【００２６】
以下に本発明の実施例を示すが、本発明は、以下の実施例に限定されるものではない。本発明はその趣旨を逸脱しない範囲内で、当業者の知識に基づき種々なる改良、修正、変形を加えた態様で実施し得るものである。
【実施例】
【００２７】
風呂釜洗浄液の原液として下記配合の水溶液を用いた。
２−アミノエタノール    １５重量％
ジエチレントリアミン    ５重量％
ポリオキシエチレンアルキルエーテル（Ｃ＝５〜１５）    ３重量％
イソプロパノール    ２重量％
エチレングリコールモノメチルエーテル    ２重量％
クエン酸ナトリウム    １重量％
【００２８】
図１に示す、風呂釜洗浄液を循環させる循環装置４を準備し浴槽２４にセットした。循環装置４は風呂釜洗浄液２を収めるタンク６と、風呂釜洗浄液を循環させる不図示のポンプを備える。タンク６は風呂釜洗浄液がタンク６から排出される排出口８と風呂釜洗浄液が外部で還流して戻る流入口１０を備える。排出口８は循環ホース１２を備え、循環ホース１２を介して風呂釜の一の湯口１６に接続される。流入口１０は循環ホース１４を備え、循環ホース１４を介して風呂釜の他の湯口１８に接続される。
【００２９】
循環ホースと湯口とをアダプタ２３を用いて接続した。このとき、循環ホース１２と一の湯口１６とを接続子２０を介して接続し、循環ホース１４と他の湯口１８とを接続子２１を介して接続した。タンク６に風呂釜洗浄液の原液を１５０ｃｃと水３リットルとを投入して風呂釜洗浄液となしたのちポンプを駆動して風呂釜洗浄液２をタンク６と風呂釜２６の熱交換管２２との間で２０分循環させ風呂釜の熱交換管２２の洗浄を行った。符号２９は風呂釜２６のバーナーである。
【００３０】
一方、凝集剤として下記配合の混合物を準備した。
硫酸アルミニウム    ５０重量部
酸化マグネシウム    １５重量部
炭酸ナトリウム      １０重量部
高分子凝集剤（アクリルアミドアクリル酸共重合物）    ２重量部
【００３１】
洗浄液の循環が終了したのち、循環ホース１２と一の湯口１６との接続を切り離してポンプを駆動して風呂釜洗浄液を浴槽２４内に流出させて貯留したのち、この風呂釜洗浄液にこの凝集剤７５ｇを散布投入しブラシを用いて３分間攪拌し、風呂釜洗浄液を中和して液中にゼリー状の凝集粒物を得た。
【００３２】
次いで、浴槽の排水口に１０メッシュの粗い織物を設置して風呂釜洗浄液を流出させ、凝集物を濾し取った。濾し取った凝集物には風呂釜洗浄により洗浄液とともに風呂釜から除去された汚物の大半が含まれており、多数の風呂釜の洗浄により得られた凝集物を集積して一括処理することにより環境に負荷を殆ど与えないでこの汚物の処理を効率的に行うことができた。
【図面の簡単な説明】
【００３３】
【図１】本発明の風呂釜洗浄液を循環させる、循環装置の構成の一例を示す部分断面模式図である。
【符号の説明】
【００３４】
４：循環装置
２：風呂釜洗浄液
６：タンク
８：排出口
１０：流入口
１２、１４：循環ホース
１６、１８：湯口
２２：熱交換管
２３：アダプタ
２４：浴槽
２６：風呂釜
【図１】
2007197620.tif 000003